(57)【特許請求の範囲】
【請求項１】
ドア等の開閉体の両側に一対の把手の把手取り付け部を配置し、一方の把手の把手取り付け部と、内側芯金とが、前記開閉体を挟んで引付ねじで共締めされて前記開閉体に固定され、他方の把手の把手取り付け部に設けられた中空部が、前記内側芯金の外周に嵌合され、前記中空部の周壁には貫通孔が設けられ、該貫通孔に挿通された固定ねじが、前記内側芯金に設けられた雌ねじに締結固定されている把手取り付け構造において、
前記内側芯金の中心には、引付ねじ軸方向に貫通する雌ねじが設けられ、前記引付ねじは、頭部と前記開閉体に挿通される軸部とを備え、前記頭部側の軸部基部には、頭部よりも小径でかつ軸部よりも大径の段差調整部が設けられ、該段差調整部の外周には、前記内側芯金の雌ねじが螺合するねじが形成され、前記引付ねじの締結時に、前記内側芯金は所定角度だけ回転できるように、前記段差調整部の軸方向の長さは、前記内側芯金の軸方向の長さよりも大きく設定され、前記段差調整部の段差端面が前記開閉体側に押圧されることを特徴とする把手取り付け構造。
【請求項２】
請求項１に記載の把手取り付け構造において、前記段差調整部の段差端面と開閉体との間には、皿ばねおよびワッシャが介在されていることを特徴とする把手取り付け構造。
【発明の詳細な説明】
【技術分野】
【０００１】
本発明は、建物に用いるドア等の開閉体の把手取り付け構造に関する。
【背景技術】
【０００２】
従来より、建物などのドアの内外両側には、ドアを開閉するための室内外用把手がそれぞれ設けられ、これら室内外用把手の把手取り付け部が同一軸線上に配置されている（例えば、特許文献１参照）。
【０００３】
ドア１００の内外両面に把手を取り付ける場合には、図８（ａ）に示すように、室外用把手１０２の把手取り付け部１０４と、内側芯金１０６とはドア１００を挟んでボルト１０７で共締めされてドア１００に固定されている。
【０００４】
図８（ｂ）に示すように、室内用把手１０３の把手取り付け部１０５には、その先端部に中空部１１１が設けられており、この中空部１１１が前記内側芯金１０６の外周に嵌合される。中空部１１１の周壁には、一対の貫通孔１１２が水平方向に形成されている。そして、各貫通孔１１２を貫通した固定ねじ１１３を、内側芯金１０６の周壁に形成された雌ねじ１１４に締結することにより、室内用把手１０３は内側芯金１０６を介してドア１００に固定されている。
【特許文献１】特開２００４−１９７４１６号公報
【発明の開示】
【発明が解決しようとする課題】
【０００５】
しかし、上記従来の構造において、室内用把手１０３を内側芯金１０６に固定する際には、室内用把手１０３の中空部１１の貫通孔１１２と、内側芯金１０６の雌ねじ１１４とが互いに正確に一致していなければならない。具体的には、内側芯金１０６の雌ねじ１１４が、中空部１１１の貫通孔１１２に対応するように水平方向を向いていないと、室内用把手１０３を内側芯金１０６に外嵌した際に、室内用把手１０３の貫通孔１１２と、内側芯金１０６の雌ねじ１１４とが合致せず、固定ねじ１１３を締結することができない。
【０００６】
また、ボルト１０７を締結するときに、内側芯金１０６も一緒に回転してしまうため、内側芯金１０６の雌ねじ１１４が水平方向を向くように、一旦締結したボルト１０７を少し緩めた後に、内側芯金１０６を所定の回転角度に戻していた。この結果、室内外用把手１０２、１０３を長期間使用していると、把手１０２、１０３がガタ付くといった問題があった。
【０００７】
本発明は、従来の把手取り付け構造を改良することにより、高度の熟練を要することなく把手をドア等の開閉体に容易に取り付けることが可能で、しかも、長期にわたって把手がガタ付くのを防止することを課題とする。
【課題を解決するための手段】
【０００８】
本発明は、前記課題を解決するためになされたもので、ドア等の開閉体の両側に一対の把手の把手取り付け部を配置し、一方の把手の把手取り付け部と、内側芯金とが、前記開閉体を挟んで引付ねじで共締めされて前記開閉体に固定され、他方の把手の把手取り付け部に設けられた中空部が、前記内側芯金の外周に嵌合され、前記中空部の周壁には貫通孔が設けられ、該貫通孔に挿通された固定ねじが、前記内側芯金に設けられた雌ねじに締結固定されている把手取り付け構造において、前記内側芯金の中心には、引付ねじの軸方向に貫通する雌ねじが設けられ、前記引付ねじは、頭部と前記開閉体に挿通される軸部とを備え、前記頭部側の軸部基部には、頭部よりも小径でかつ軸部よりも大径の段差調整部が設けられ、該段差調整部の外周には、前記内側芯金の雌ねじが螺合するねじが形成され、前記引付ねじの締結時に、前記内側芯金は所定角度だけ回転できるように、前記段差調整部の軸方向の長さは、前記内側芯金の軸方向の長さよりも大きく設定され、前記段差調整部の段差端面が前記開閉体側に押圧されることにある。
【００１０】
本発明の把手取り付け構造の前記段差調整部の段差端面と開閉体との間には、皿ばねおよびワッシャが介在されているのが好ましい。
【発明の効果】
【００１１】
本発明は、高度の熟練を要することなく把手を容易に取り付けることが可能で、しかも、長期にわたって把手がガタ付くのを防止することことができる。
【発明を実施するための最良の形態】
【００１２】
以下、本発明の一実施の形態について図面を参照しながら説明する。
【００１３】
図１〜図７は本発明の一実施の形態にかかるドア用把手１を示す。かかる把手１は、図７に示すように、開閉体としてのドア４の内外面にそれぞれ取り付けられる一方の把手としての室外用把手２と、他方の把手としての室内用把手３とから構成されている。
【００１４】
室外用把手２および室内用把手３は、金属、ガラス、木材等からなる棒状体の握り部２１、３１と、この握り部２１、３１の両端部に一体的に設けられた一対の把手取り付け部２２、３２とから構成されている。なお、本実施に形態は、室外用把手２および室内用把手３を上下方向に取り付ける場合について説明するが、その取り付け方向は特に限定されるものではない。
【００１５】
ドア４は、建物等に使用される木製ドア、ガラス製ドア、アルミ枠ドア等である。
【００１６】
前記室外用把手２および室内用把手３は、図１〜図６に示す引付手段５により、ドア４の内外面にそれぞれ取り付けられている。引付手段５は、頭部付き引付ねじ５１と、内側芯金５２と、皿ばね５３と、ワッシャ５４とから構成されている。
【００１７】
内側芯金５２は、図２、図５および図６に示すように、その中心に雌ねじ５２ａが設けられている。また、内側芯金５２の周壁には、中心に向けて複数個（例えば２個）の雌ねじ５２ｂが形成されている。そして、内側芯金５２外周に、室内用把手３の把手取り付け部３２に設けられた中空部３２ａが嵌合される。この中空部３２ａの周壁には、雌ねじ５２ｂに対応する一対の貫通孔３３が半径方向で且つ水平に設けられている。なお、貫通孔３３の設ける位置および個数は、前記雌ねじ５２ｂに対応して適宜決定される。
【００１８】
頭部付き引付ねじ５１は、頭部５１ａと前記ドア４に貫通された取付孔４ａに挿通される軸部５１ｂとを備えている。この軸部５１ｂの先端部には、前記室外用把手２の把手取り付け部２２の端面に形成された雌ねじ２５に螺合される雄ねじ部５６が設けられている。また、軸部５１ｂの基部（頭部５１ａの近傍）には、頭部５１ａよりも小径でかつ軸部５１ｂよりも大径の段差調整部５９が設けられている。
【００１９】
この段差調整部５９の外周に、内側芯金５２の雌ねじ５２ａが螺合するねじ５８が形成されている。段差調整部５９の軸方向の長さ（頭部５１ａの端面から段差調整部５９の段差端面５９ａまでの長さ）Ｌ１は、内側芯金５２の長さＬ２よりも若干大きく（Ｌ１＞Ｌ２）なるように設定されている（図５参照）。例えば、図２示すように、段差調整部５９の長さＬ１と内側芯金５２の長さＬ２の差Ｌ３が略０．５ｍｍに設定するのが好ましい。しかも、この略０．５ｍｍのスペースで内側芯金５２が約１８０度回転できるように、ねじ５８のねじピッチが設定されている。
【００２０】
また、頭部付き引付ねじ５１の締結時に、段差調整部５９の段差端面５９ａが、軸部５１ｂに挿通された皿ばね５３およびワッシャ５４をドア４に押圧するようになっている。
【００２１】
次に、上記構造における一対の把手２２、２３をドア２１の両面に取り付ける場合について説明する。
【００２２】
先ず、頭部付き引付ねじ５１の軸部５１ｂに、内側芯金５２、皿ばね５３およびワッシャ５４を順次挿通する。なお、内側芯金５２は段差調整部５９に螺合させておく。
【００２３】
さらに、内側芯金５２、皿ばね５３およびワッシャ５４が一体となった頭部付き引付ねじ５１の軸部５１ｂを、ドア４の挿通孔４ａに挿通するとともに、雄ねじ部５６を室外用把手２の把手取り付け部２２の雌ねじ部２５に螺合する（図１（ａ）参照）。このとき、頭部付き引付ねじ５１を締結すると、段差調整部５９の端面５９ａが皿ばね５３の押圧力を受けることとなり、室外用把手２をドア４に固定させることができる。
【００２４】
このように頭部付き引付ねじ５１を締結した状態であっても、段差調整部５９の軸方向の長さＬ１は、内側芯金５２の長さＬ２よりも若干大きくなるように設定されていることから、段差調整部５９に螺合された内側芯金５２は、頭部５１ａと皿ばね５３との間で押圧されることはなく、所定の角度だけ回転可能になっている。この結果、内側芯金５２を所定角度回転させることにより、内側芯金５２の雌ねじ５２ｂ位置が水平となるように調整する。
【００２５】
さらに、室内用把手３の把手取り付け部３２の中空部３２ａを、内側芯金５２に外嵌する。室内用把手３の把手取り付け部３２の貫通孔３３と、前記のように内側芯金５２の雌ねじと５２ｂとが一致しているため、固定ねじ６０を、室内用把手３の把手取り付け部３２の貫通孔３３に挿通し、内側芯金５２の雌ねじ５２ｂに締結して室内用把手３をドア４に迅速に取り付けることができる。
【００２６】
また、内側芯金５２は頭部付き引付ねじ５１の段差調整部５９に螺合しているため、内側芯金５２は回転しない限り、頭部付き引付ねじ５１の軸方向に移動することはなく、室内外用把手２、３を長期間使用しても把手２、３が緩んでガタ付くのを防止できる。また、本実施の形態の把手２２、２３は、高度の熟練を要することなく容易に把手を取り付けることが可能で、修理、取替え等のメンテナンス等においても有利である。
【図面の簡単な説明】
【００２７】
【図１】本発明の一実施形態を示し、（ａ）はドアに室外用把手を取り付けた状態の一部断面を含む平面図、（ｂ）はドアの両面に把手を取り付けた状態の一部断面を含む平面図である。
【図２】本発明の一実施形態の要部を示す断面図である。
【図３】室内用把手を引付手段に取り付ける直前の斜視図である。
【図４】室内用把手を引付手段に取り付けた状態の斜視図である。
【図５】引付手段の一部断面を含む分解図である。
【図６】内側芯金を示し、（ａ）は側面図、（ｂ）は正面図である。
【図７】本発明の一実施例を示し、ドアの両面に把手を取り付けた状態を示す正面図である。
【図８】従来例を示し、（ａ）はドアに室外用把手を取り付けた状態の一部断面を含む平面図、（ｂ）はドアの両面に把手を取り付けた状態の一部断面を含む平面図である。
【符号の説明】
【００２８】
１ 把手
２ 一方の把手
３ 他方の把手
４ ドア（開閉体）
２２ 把手取り付け部
３２ 把手取り付け部
３２ａ 中空部
３３ 貫通孔
５１ 頭部付き引付ねじ（引付ねじ）
５１ａ 頭部
５１ｂ 軸部
５２ 内側芯金
５２ａ 雌ねじ
５２ｂ 雌ねじ
５３ 皿ばね
５４ ワッシャ
５８ ねじ
５９ 段差調整部（調整部）
５９ａ 段差端面
６０ 固定ねじ
【図１】
0004840806.tif 000002
【図２】
0004840806.tif 000003
【図３】
0004840806.tif 000004
【図４】
0004840806.tif 000005
【図５】
0004840806.tif 000006
【図６】
0004840806.tif 000007
【図７】
0004840806.tif 000008
【図８】
0004840806.tif 000009